(57)【要約】      （修正有）【課題】種々の用途に適用可能な台車用キャスタ、これを使用した棚及び台車を提供する。【解決手段】台車用キャスタは、４組のキャスタ部材１０を有し、それぞれのキャスタ部材１０は、角材の角部に固定されるキャスタ本体１１と、そのキャスタ本体１１から下方に突出して転動する転動部材１２とを備えている。また、キャスタ本体１１の下面１１ａで転動部材１２と隣接した位置に上下動自在に設けられ、下方に移動されたときに転動部材１２よりも下方の位置まで突出するストッパ１３が設けられている。また、キャスタ本体１１に４本の角材が四角形となるように取り付けられ、その四角形の角部に支柱取付用の配設部１４が設けられ、この配設部１４に取付用の孔１５が形成されている。【選択図】図３
0003229949.tif 000002
【実用新案登録請求の範囲】
【請求項１】
４組のキャスタ部材を有し、それぞれのキャスタ部材は、角材の角部に固定されるキャスタ本体と、該キャスタ本体から下方に突出して転動する転動部材とを備えることを特徴とする台車用キャスタ。
【請求項２】
前記キャスタ本体の下面で前記転動部材と隣接した位置に上下動自在に設けられ、下方に移動されたときに前記転動部材よりも下方の位置まで突出するストッパが設けられていることを特徴とする請求項１に記載の台車用キャスタ。
【請求項３】
前記キャスタ本体に４本の角材が四角形となるように取り付けられ、該四角形の角部に支柱取付用の配設部が設けられ、この配設部に取付用の孔が形成されていることを特徴とする請求項１又は２に記載の台車用キャスタ。
【請求項４】
請求項３に記載された前記配設部それぞれに前記支柱が取り付けられ、該支柱に棚板が取り付けられて構成されたことを特徴とする棚。
【請求項５】
請求項１乃至３のいずれかに記載された前記キャスタ本体が、四角形となるように形成された角材の角部に固定されており、当該角材の上に板材が配置されて、移動自在に構成されたことを特徴とする台車。
【考案の詳細な説明】
【技術分野】
【０００１】
本考案は、台車用キャスタ、これを使用した棚及び台車に関する。
【背景技術】
【０００２】
従来、キャスタが取り付けられて移動自在に構成された台車がある。このような台車では、例えば所定の大きさ及び形状の板材の裏面に、キャスタが取り付けられた構成となっており、当該板材の上に荷物を載せて移動させるようになっているものが多い（例えば、特許文献１参照）。
【先行技術文献】
【特許文献】
【０００３】
【特許文献１】実用新案登録第３２２５０１９号公報
【考案の概要】
【考案が解決しようとする課題】
【０００４】
しかしながら、上記特許文献１に記載されたキャスタ部材を種々のものに適用させることができれば、当該キャスタ部材の用途が広がり、さらに汎用性を持たせることができると考えられていた。
【０００５】
本考案は、上記事情を考慮してなされたものであり、種々の用途に適用可能な台車用キャスタ、これを使用した棚及び台車を提供することを目的とする。
【課題を解決するための手段】
【０００６】
上記課題を解決するため、請求項１に記載の考案は、４組のキャスタ部材を有し、それぞれのキャスタ部材は、角材の角部に固定されるキャスタ本体と、該キャスタ本体から下方に突出して転動する転動部材とを備える台車用キャスタとしたことを特徴とする。
【０００７】
また、請求項２に記載の考案は、請求項１に記載の構成に加え、前記キャスタ本体の下面で前記転動部材と隣接した位置に上下動自在に設けられ、下方に移動されたときに前記転動部材よりも下方の位置まで突出するストッパが設けられている台車用キャスタとしたことを特徴とする。
【０００８】
また、請求項３に記載の考案は、請求項１又は２に記載の構成に加え、前記キャスタ本体に４本の角材が四角形となるように取り付けられ、該四角形の角部に支柱取付用の配設部が設けられ、この配設部に取付用の孔が形成されている台車用キャスタとしたことを特徴とする。
【０００９】
また、請求項４に記載の考案は、請求項３に記載された前記配設部それぞれに前記支柱が取り付けられ、該支柱に棚板が取り付けられて構成された棚としたことを特徴とする。
【００１０】
また、請求項５に記載の考案は、請求項１乃至３のいずれかに記載された前記キャスタ本体が、四角形となるように形成された角材の角部に固定されており、当該角材の上に板材が配置されて、移動自在に構成された台車としたことを特徴とする。
【考案の効果】
【００１１】
請求項１に記載の考案によれば、キャスタ部材のキャスタ本体が、種々の形状に使用できる汎用性の高い角材の角部に固定されるようになっているため、キャスタ部材を種々の用途に使用することができる。
【００１２】
また、請求項２に記載の考案によれば、請求項１に記載の考案の効果に加え、キャスタ本体の下面で転動部材と隣接した位置に上下動自在に設けられ、下方に移動されたときに転動部材よりも下方の位置まで突出するストッパが設けられているため、簡単にその場に停止させて固定することができる。
【００１３】
また、請求項３に記載の考案によれば、請求項１又は２に記載の考案の効果に加え、キャスタ本体に４本の角材が四角形となるように取り付けられ、その四角形の角部に支柱取付用の配設部が設けられ、この配設部に取付用の孔が形成されているため、四角形に形成した角材の上に簡単に支柱を取り付けて高さのある状態を作り出すことができる。
【００１４】
また、請求項４に記載の考案によれば、請求項３に記載された配設部それぞれに支柱が取り付けられ、その支柱に棚板が取り付けられて構成された棚であるため、簡単にキャスタ付の棚を構成することができる。
【００１５】
また、請求項５に記載の考案によれば、請求項１乃至３のいずれかに記載されたキャスタ本体が、四角形となるように形成された角材の角部に固定されており、当該角材の上に板材が配置されて、移動自在に構成された台車であるため、簡単に台車を構成することができる。
【図面の簡単な説明】
【００１６】
【図１】本考案の実施の形態に係るキャスタ部材を示す正面図である。
【図２】同実施の形態に係るキャスタ部材を示す平面図である。
【図３】同実施の形態に係るキャスタ部材を示す裏面図である。
【図４】同実施の形態に係るキャスタ部材を使用して構成された棚を示す斜視図である。
【図５】図４の棚の正面図である。
【図６】図４の棚のキャスタ部材が取り付けられた角材の状態を示す平面図である。
【図７】図４の棚のキャスタ部材の配置状態を示す裏面図である。
【図８】同実施の形態に係るキャスタ部材を使用して構成された台車を示す斜視図である。
【図９】図８の台車のキャスタ部材が取り付けられた角材の状態を示す平面図である。
【図１０】図８の台車のキャスタ部材が取り付けられた角材の状態を示す正面図である。
【図１１】図８の台車の配置された板材を示す正面図である。
【考案を実施するための形態】
【００１７】
以下、本考案の実施の形態について、図面を参照して詳細に説明する。
【００１８】
まずは、本考案の実施の形態に係る台車用キャスタについて説明する。
【００１９】
図１は、本実施の形態に係るキャスタ部材１０を示す正面図である。図２は、同実施の形態に係るキャスタ部材１０を示す平面図である。図３は、同実施の形態に係るキャスタ部材１０を示す裏面図である。
【００２０】
ここで、以下の実施の形態の角材２０は、例えばツーバイフォー材が用いられ、このツーバイフォー材は、２×４工法と呼ばれる建築工法に使われる主要製材のことである。ツーバイフォー材は、基本となる角材２０の木口（断面）のサイズが２インチ×４インチ(正確には３８×８９ｍｍ)である。
【００２１】
本実施の形態の台車用キャスタは、４組のキャスタ部材１０を有しており、それぞれのキャスタ部材１０は、図１〜図３に示すように、キャスタ本体１１と、転動部材１２とを備える。また、本実施の形態では、これらの他に、ストッパ１３も備えている。
【００２２】
このうち、キャスタ本体１１は、キャスタ部材１０を他の部材に取り付ける部位であり、ここでは角材２０の角部２１に固定されるような形状、大きさに構成されている。
【００２３】
また、転動部材１２は、キャスタ本体１１から下方に突出して配置されており、地面（床面）に接して転動するように構成されている。ここでは、転動部材１２として、車輪が配設されているが、これに限るものではなく、地面に接して転動するものであれば、車輪以外の種々のものが適用できる。
【００２４】
また、ストッパ１３は、キャスタ本体１１の下面１１ａで転動部材１２と隣接した位置に配置されているものであって、上下動自在に設けられており、下方に移動されたときに転動部材１２よりも下方の位置まで突出するように構成されている。このストッパ１３は、例えば、軸にねじが切ってあって回動させることで上下動させたり、ばねの付勢力等で上下動させたりして、上下動自在になっているのが好ましい。
【００２５】
また、本実施の形態では、図６に示すように、キャスタ本体１１に４本の角材２０が四角形となるように取り付けられ、その四角形の角部２１に支柱取付用の配設部１４が設けられるようになっている。具体的に、この配設部１４には、後述する支柱３０を取り付ける用の孔１５が形成されている。ここでは、３箇所の孔１５が形成されている。
【００２６】
次に、このようなキャスタ部材１０を使用して構成された棚１について説明する。
【００２７】
図４は、同実施の形態に係るキャスタ部材１０を使用して構成された棚１を示す斜視図である。図５は、図４の棚１の正面図である。図６は、図４の棚１のキャスタ部材１０が取り付けられた角材２０の状態を示す平面図である。図７は、図４の棚１のキャスタ部材１０の配置状態を示す裏面図である。
【００２８】
本実施の形態の棚１は、前記したキャスタ部材１０のキャスタ本体１１を４本の角材２０の角部２１に取り付け、これを四角形となるように形成して底部を構成している。また、キャスタ部材１０の角に設けられた配設部１４の孔１５からネジ等を通して、同じ角材２０で形成された支柱３１を固定するようになっている。ここでは、３つの孔１５のうちの２つを用いて支柱３１を固定するようになっている。
【００２９】
この支柱３１は、その上端部でさらに上方に高さを出すために繋ぎ金具３６を用いて同じ部材からなる支柱３２を繋ぐように構成されている。また、４本の支柱３１，３２に対して、高さ方向に等間隔となる位置に棚受部材３３，３４，３５が設けられている。この棚受部材３３，３４，３５は、それぞれ取付金具３７，３８，３９で支柱３１，３２に固定され、対向する２辺に設けられるようになっている。また、一番下側の棚受部材３３とその上側の棚受部材３４，３５は取り付ける位置が９０°ずれるように構成されている。
【００３０】
そして、これらの棚受部材３３，３４，３５に棚板４１，４２，４３が載置されて、棚１が形成されている。
【００３１】
この棚１は、キャスタ部材１０の転動部材１２によって移動自在に構成されると共に、ストッパ１３によって位置を簡単に固定することができるように構成されている。
【００３２】
次に、前記したキャスタ部材１０を使用して構成された台車２について説明する。
【００３３】
図８は、同実施の形態に係るキャスタ部材１０を使用して構成された台車２を示す斜視図である。図９は、図８の台車２のキャスタ部材１０が取り付けられた角材２０の状態を示す平面図である。図１０は、図８の台車２のキャスタ部材１０が取り付けられた角材２０の状態を示す正面図である。図１１は、図８の台車２の配置された板材５０を示す正面図である。
【００３４】
本実施の形態の台車２は、前記したキャスタ部材１０のキャスタ本体１１を、棚１のときと同様に、４本の角材２０の角部２１に取り付け、これを四角形となるように形成して底部を構成している。そして、その上に板材５０を配設、固定して、台車２を構成するようになっている。
【００３５】
なお、図示は省略するが、この台車２の隣接する角部２箇所に棚１のときと同様に支柱部材を立てて、そこに横渡し部材を配設する等して、台車２の手押し部を形成しても良い。
【００３６】
このように本実施の形態によれば、キャスタ部材１０のキャスタ本体１１が、種々の形状に使用できる汎用性の高い角材２０の角部２１に固定されるようになっているため、キャスタ部材１０を種々の用途に使用することができる。
【００３７】
また、本実施の形態によれば、キャスタ本体１１の下面１１ａで転動部材１２と隣接した位置に上下動自在に設けられ、下方に移動されたときに転動部材１２よりも下方の位置まで突出するストッパ１３が設けられているため、簡単にその場に停止させて固定することができる。
【００３８】
また、本実施の形態によれば、キャスタ本体１１に４本の角材２０が四角形となるように取り付けられ、その四角形の角部２１に支柱取付用の配設部１４が設けられ、この配設部１４に取付用の孔１５が形成されているため、四角形に形成した角材２０の上に簡単に支柱３１を取り付けて高さのある状態を作り出すことができる。
【００３９】
また、本実施の形態によれば、配設部１４それぞれに支柱３１が取り付けられ、その支柱３１に棚板４１が取り付けられて構成された棚１であるため、簡単にキャスタ付の棚１を構成することができる。
【００４０】
また、本実施の形態によれば、キャスタ本体１１が、四角形となるように形成された角材２０の角部２１に固定されており、当該角材２０の上に板材５０が配置されて、移動自在に構成された台車２であるため、簡単に台車２を構成することができる。
【００４１】
なお、以上説明した本実施の形態は、本考案の理解を容易にするために記載されたものであって、本考案を限定するために記載されたものではない。
【００４２】
例えば、上記実施の形態では、角材としてツーバイフォー材を用いた例について説明したが、ツーバイフォー材に限らず他のサイズの角材でも適用することが可能である。
【００４３】
また、上記実施の形態では、キャスタ部材を棚と台車に適用した例を示したが、これに限るものではなく、角材を介して取り付ける構造の他の部材に、本考案のキャスタ部材を適用しても良い。
【符号の説明】
【００４４】
１    棚
２    台車
１０    キャスタ部材
１１    キャスタ本体
１１ａ  下面
１２    転動部材
１３    ストッパ
１４    配設部
１５    孔
２０    角材
２１    角部
３１，３２    支柱
３３，３４，３５    棚受部材
３６    繋ぎ金具
３７，３８，３９    取付金具
４１，４２，４３    棚板
５０    板材
【図１】
0003229949.tif 000003
【図２】
0003229949.tif 000004
【図３】
0003229949.tif 000005
【図４】
0003229949.tif 000006
【図５】
0003229949.tif 000007
【図６】
0003229949.tif 000008
【図７】
0003229949.tif 000009
【図８】
0003229949.tif 000010
【図９】
0003229949.tif 000011
【図１０】
0003229949.tif 000012
【図１１】
0003229949.tif 000013